(57)【要約】【課題】調光器の種類及び調光方式を自動的に判別し、省エネランプに電源を供給し、調光するスマート型調光省エネランプの電源供給装置及びその電源供給方法を提供する。【解決手段】スマート型調光省エネランプの電源供給装置１０は、入力端１０２と、入力端１０２と電気的に接続された電源変換ユニット１０４と、電源変換ユニット１０４と電気的に接続された電源出力端１０６と、入力端１０２と電気的に接続された調光信号インタフェースユニット１０８と、調光信号インタフェースユニット１０８及び電源変換ユニット１０４と電気的に接続された調光信号判別・電源変換制御ユニット１１０とを備える。調光信号判別・電源変換制御ユニット１１０は、電源変換制御サブユニット１１６、調光信号判別サブユニット１１８、第１の調光信号検出制御サブユニット及び第２の調光信号検出制御サブユニットを有する。【選択図】図１
2012142253.tif 000002
【特許請求の範囲】
【請求項１】
入力端と、
前記入力端と電気的に接続された電源変換ユニットと、
前記電源変換ユニットと電気的に接続された電源出力端と、
前記入力端と電気的に接続された調光信号インタフェースユニットと、
前記調光信号インタフェースユニット及び前記電源変換ユニットと電気的に接続された調光信号判別・電源変換制御ユニットとを備え、
前記調光信号判別・電源変換制御ユニットは、
前記電源変換ユニットと電気的に接続された電源変換制御サブユニットと、
前記電源変換制御サブユニットと電気的に接続された調光信号判別サブユニットと、
前記調光信号判別サブユニットと電気的に接続された第１の調光信号検出制御サブユニットと、
前記調光信号判別サブユニットと電気的に接続された第２の調光信号検出制御サブユニットとを有することを特徴とするスマート型調光省エネランプの電源供給装置。
【請求項２】
前記調光信号インタフェースユニットは、
前記入力端と電気的に接続されたトライアック型調光信号インタフェースサブユニットと、
前記入力端と電気的に接続された０〜１０ボルト型調光信号インタフェースサブユニットとを有し、
前記第１の調光信号検出制御サブユニットは、前記調光信号判別サブユニット及び前記トライアック型調光信号インタフェースサブユニットと電気的に接続されたトライアック型調光信号検出サブユニットであり、
前記第２の調光信号検出制御サブユニットは、前記調光信号判別サブユニット及び前記０〜１０ボルト型調光信号インタフェースサブユニットと電気的に接続された０〜１０ボルト型調光信号検出サブユニットであることを特徴とする請求項１に記載のスマート型調光省エネランプの電源供給装置。
【請求項３】
前記調光信号判別・電源変換制御ユニットは、前記調光信号判別サブユニットと電気的に接続されたスイッチング型調光信号制御サブユニットをさらに有することを特徴とする請求項２に記載のスマート型調光省エネランプの電源供給装置。
【請求項４】
前記調光信号インタフェースユニットは、前記入力端と電気的に接続されたトライアック型調光信号インタフェースサブユニットを有し、
前記第１の調光信号検出制御サブユニットは、前記調光信号判別サブユニット及び前記トライアック型調光信号インタフェースサブユニットと電気的に接続されたトライアック型調光信号検出サブユニットであり、
前記第２の調光信号検出制御サブユニットは、前記調光信号判別サブユニットと電気的に接続されたスイッチング型調光信号制御サブユニットであることを特徴とする請求項１に記載のスマート型調光省エネランプの電源供給装置。
【請求項５】
前記調光信号インタフェースユニットは、前記入力端と電気的に接続された０〜１０ボルト型調光信号インタフェースサブユニットを有し、
前記第１の調光信号検出制御サブユニットは、前記調光信号判別サブユニット及び前記０〜１０ボルト型調光信号インタフェースサブユニットと電気的に接続された０〜１０ボルト型調光信号検出サブユニットであり、
前記第２の調光信号検出制御サブユニットは、前記調光信号判別サブユニットと電気的に接続されたスイッチング型調光信号制御サブユニットであることを特徴とする請求項１に記載のスマート型調光省エネランプの電源供給装置。
【請求項６】
（Ａ）トライアック型調光信号インタフェースサブユニットにより、調光信号を受信するステップと、
（Ｂ）トライアック型調光信号検出サブユニットにより、前記トライアック型調光信号インタフェースサブユニットが受信した前記調光信号を検出するステップと、
（Ｃ）調光信号判別サブユニットは、前記トライアック型調光信号検出サブユニットの検出により、前記トライアック型調光信号インタフェースサブユニットが受信した前記調光信号に、トライアック型調光信号が含まれていると判断した場合、電源変換制御サブユニットが、トライアック型調光方式により電源変換ユニットを制御し、省エネランプに電源を供給して調光を行うステップと、
（Ｄ）０〜１０ボルト型調光信号インタフェースサブユニットにより、調光信号を受信するステップと、
（Ｅ）０〜１０ボルト型調光信号検出サブユニットにより、前記０〜１０ボルト型調光信号インタフェースサブユニットが受信した前記調光信号を検出するステップと、
（Ｆ）前記調光信号判別サブユニットは、前記０〜１０ボルト型調光信号検出サブユニットの検出により、前記０〜１０ボルト型調光信号インタフェースサブユニットが受信した前記調光信号に、０〜１０ボルト型調光信号が含まれていると判断した場合、前記電源変換制御サブユニットが、０〜１０ボルト型調光方式により前記電源変換ユニットを制御し、前記省エネランプに電源を供給して調光を行うステップと、を含むことを特徴とするスマート型調光省エネランプの電源供給方法。
【請求項７】
ステップ（Ｆ）を行った後に、
（Ｇ）前記調光信号判別サブユニットは、前記トライアック型調光信号検出サブユニットの検知により、前記トライアック型調光信号インタフェースサブユニットが受信した前記調光信号に、前記トライアック型調光信号が含まれていないと判断し、前記調光信号判別サブユニットが、前記０〜１０ボルト型調光信号検出サブユニットの検知により、前記０〜１０ボルト型調光信号インタフェースサブユニットが受信した前記調光信号に、前記０〜１０ボルト型調光信号が含まれていないと判断した場合、前記電源変換制御サブユニットは、スイッチング型調光方式により前記電源変換ユニットを制御し、前記省エネランプに電源を供給して調光を行うステップをさらに行うことを特徴とする請求項６に記載のスマート型調光省エネランプの電源供給方法。
【請求項８】
（Ａ）第１の調光信号インタフェースサブユニットにより、調光信号を受信するステップと、
（Ｂ）第１の調光信号検出サブユニットにより、前記第１の調光信号インタフェースサブユニットが受信した前記調光信号を検出するステップと、
（Ｃ）調光信号判別サブユニットは、前記第１の調光信号検出サブユニットの検出により、前記第１の調光信号インタフェースサブユニットが受信した前記調光信号に、第１の調光信号が含まれていると判断した場合、電源変換制御サブユニットが、第１の調光方式により電源変換ユニットを制御し、省エネランプに電源を供給して調光を行うステップと、
（Ｄ）前記調光信号判別サブユニットは、前記第１の調光信号検出サブユニットの検出により、前記第１の調光信号インタフェースサブユニットが受信した前記調光信号に、前記第１の調光信号が含まれていないと判断した場合、前記電源変換制御サブユニットが、スイッチング型調光方式により前記電源変換ユニットを制御し、前記省エネランプに電源を供給して調光を行うステップと、を含むことを特徴とするスマート型調光省エネランプの電源供給方法。
【請求項９】
前記第１の調光信号インタフェースサブユニットはトライアック型調光信号インタフェースサブユニットであり、
前記第１の調光信号検出制御サブユニットはトライアック型調光信号検出サブユニットであり、
前記第１の調光信号はトライアック型調光信号であり、
前記第１の調光方式はトライアック型調光方式であることを特徴とする請求項８に記載のスマート型調光省エネランプの電源供給方法。
【請求項１０】
前記第１の調光信号インタフェースサブユニットは０〜１０ボルト型調光信号インタフェースサブユニットであり、
前記第１の調光信号検出サブユニットは０〜１０ボルト型調光信号検出サブユニットであり、
前記第１の調光信号は０〜１０ボルト型調光信号であり、
前記第１の調光方式は０〜１０ボルト型調光方式であることを特徴とする請求項８に記載のスマート型調光省エネランプの電源供給方法。
【発明の詳細な説明】
【技術分野】
【０００１】
本発明は、省エネランプ電源供給装置及びその電源供給方法に関し、特に、スマート型調光省エネランプの電源供給装置及びその電源供給方法に関する。
【背景技術】
【０００２】
近い将来、例えば、蛍光ランプ(fluorescent lamp)、ＬＥＤランプなどの省エネランプ(energy saving lamp)は、白熱電球(incandescent lamp)を代替すると見られている。これら省エネランプのなかでも、蛍光ランプの電源供給装置は、一般に安定器（ballast)と呼ばれる。ＬＥＤランプの電源供給装置は、一般にＬＥＤドライバ(driver)という。
【０００３】
省エネランプにとって、調光機能は、消費電力を減らすことができるため非常に重要な機能である。現在市販されている省エネランプには、例えば、トライアック(triac)型、０〜１０ボルト型、スイッチング型など、様々なタイプの調光方式が採用されている。
【０００４】
トライアック型の場合、電源供給装置をトライアック型の調光器に接続し、省エネランプの調光を行う。０〜１０ボルト型の場合、電源供給装置を０〜１０ボルト型の調光器に接続し、省エネランプの調光を行う。スイッチング型の場合は、オン・オフする回数に基づいて調光を行うため、電源供給装置を調光器に接続する必要がない。
【０００５】
しかし、調光器（即ち、調光方式）は、その種類に応じてそれぞれ異なる省エネランプの電源供給装置が必要であるため、省エネランプの電源供給装置の製造メーカ及びユーザにとって不都合である。
【先行技術文献】
【特許文献】
【０００６】
【特許文献１】特開２０１０−２７９２４８
【発明の概要】
【発明が解決しようとする課題】
【０００７】
本発明の主な目的は、全ての調光器及び調光方式に適用するスマート型調光省エネランプの電源供給装置及びその電源供給方法を提供することにある。
【課題を解決するための手段】
【０００８】
上記課題を解決するために、本発明の第１の形態によれば、入力端と、前記入力端と電気的に接続された電源変換ユニットと、前記電源変換ユニットと電気的に接続された電源出力端と、前記入力端と電気的に接続された調光信号インタフェースユニットと、前記調光信号インタフェースユニット及び前記電源変換ユニットと電気的に接続された調光信号判別・電源変換制御ユニットとを備え、前記調光信号判別・電源変換制御ユニットは、  前記電源変換ユニットと電気的に接続された電源変換制御サブユニットと、前記電源変換制御サブユニットと電気的に接続された調光信号判別サブユニットと、前記調光信号判別サブユニットと電気的に接続された第１の調光信号検出制御サブユニットと、前記調光信号判別サブユニットと電気的に接続された第２の調光信号検出制御サブユニットとを有することを特徴とするスマート型調光省エネランプの電源供給装置が提供される。
【０００９】
また、前記調光信号インタフェースユニットは、前記入力端と電気的に接続されたトライアック型調光信号インタフェースサブユニットと、前記入力端と電気的に接続された０〜１０ボルト型調光信号インタフェースサブユニットとを有し、前記第１の調光信号検出制御サブユニットは、前記調光信号判別サブユニット及び前記トライアック型調光信号インタフェースサブユニットと電気的に接続されたトライアック型調光信号検出サブユニットであり、前記第２の調光信号検出制御サブユニットは、前記調光信号判別サブユニット及び前記０〜１０ボルト型調光信号インタフェースサブユニットと電気的に接続された０〜１０ボルト型調光信号検出サブユニットであることが好ましい。
【００１０】
また、前記調光信号判別・電源変換制御ユニットは、前記調光信号判別サブユニットと電気的に接続されたスイッチング型調光信号制御サブユニットをさらに有することが好ましい。
【００１１】
また、前記調光信号インタフェースユニットは、前記入力端と電気的に接続されたトライアック型調光信号インタフェースサブユニットを有し、前記第１の調光信号検出制御サブユニットは、前記調光信号判別サブユニット及び前記トライアック型調光信号インタフェースサブユニットと電気的に接続されたトライアック型調光信号検出サブユニットであり、前記第２の調光信号検出制御サブユニットは、前記調光信号判別サブユニットと電気的に接続されたスイッチング型調光信号制御サブユニットであることが好ましい。
【００１２】
また、前記調光信号インタフェースユニットは、前記入力端と電気的に接続された０〜１０ボルト型調光信号インタフェースサブユニットを有し、前記第１の調光信号検出制御サブユニットは、前記調光信号判別サブユニット及び前記０〜１０ボルト型調光信号インタフェースサブユニットと電気的に接続された０〜１０ボルト型調光信号検出サブユニットであり、前記第２の調光信号検出制御サブユニットは、前記調光信号判別サブユニットと電気的に接続されたスイッチング型調光信号制御サブユニットであることが好ましい。
【００１３】
上記課題を解決するために、本発明の第２の形態によれば、（Ａ）トライアック型調光信号インタフェースサブユニットにより、調光信号を受信するステップと、（Ｂ）トライアック型調光信号検出サブユニットにより、前記トライアック型調光信号インタフェースサブユニットが受信した前記調光信号を検出するステップと、（Ｃ）調光信号判別サブユニットは、前記トライアック型調光信号検出サブユニットの検出により、前記トライアック型調光信号インタフェースサブユニットが受信した前記調光信号に、トライアック型調光信号が含まれていると判断した場合、電源変換制御サブユニットが、トライアック型調光方式により電源変換ユニットを制御し、省エネランプに電源を供給して調光を行うステップと、（Ｄ）０〜１０ボルト型調光信号インタフェースサブユニットにより、調光信号を受信するステップと、（Ｅ）０〜１０ボルト型調光信号検出サブユニットにより、前記０〜１０ボルト型調光信号インタフェースサブユニットが受信した前記調光信号を検出するステップと、（Ｆ）前記調光信号判別サブユニットは、前記０〜１０ボルト型調光信号検出サブユニットの検出により、前記０〜１０ボルト型調光信号インタフェースサブユニットが受信した前記調光信号に、０〜１０ボルト型調光信号が含まれていると判断した場合、前記電源変換制御サブユニットが、０〜１０ボルト型調光方式により前記電源変換ユニットを制御し、前記省エネランプに電源を供給して調光を行うステップとを含むことを特徴とするスマート型調光省エネランプの電源供給方法が提供される。
【００１４】
また、ステップ（Ｆ）を行った後に、（Ｇ）前記調光信号判別サブユニットは、前記トライアック型調光信号検出サブユニットの検知により、前記トライアック型調光信号インタフェースサブユニットが受信した前記調光信号に、前記トライアック型調光信号が含まれていないと判断し、前記調光信号判別サブユニットが、前記０〜１０ボルト型調光信号検出サブユニットの検知により、前記０〜１０ボルト型調光信号インタフェースサブユニットが受信した前記調光信号に、前記０〜１０ボルト型調光信号が含まれていないと判断した場合、前記電源変換制御サブユニットは、スイッチング型調光方式により前記電源変換ユニットを制御し、前記省エネランプに電源を供給して調光を行うステップをさらに行うことが好ましい。
【００１５】
また、（Ａ）第１の調光信号インタフェースサブユニットにより、調光信号を受信するステップと、（Ｂ）第１の調光信号検出サブユニットにより、前記第１の調光信号インタフェースサブユニットが受信した前記調光信号を検出するステップと、（Ｃ）調光信号判別サブユニットは、前記第１の調光信号検出サブユニットの検出により、前記第１の調光信号インタフェースサブユニットが受信した前記調光信号に、第１の調光信号が含まれていると判断した場合、電源変換制御サブユニットが、第１の調光方式により電源変換ユニットを制御し、省エネランプに電源を供給して調光を行うステップと、（Ｄ）前記調光信号判別サブユニットは、前記第１の調光信号検出サブユニットの検出により、前記第１の調光信号インタフェースサブユニットが受信した前記調光信号に、前記第１の調光信号が含まれていないと判断した場合、前記電源変換制御サブユニットが、スイッチング型調光方式により前記電源変換ユニットを制御し、前記省エネランプに電源を供給して調光を行うステップとを含むことが好ましい。
【００１６】
また、前記第１の調光信号インタフェースサブユニットはトライアック型調光信号インタフェースサブユニットであり、前記第１の調光信号検出制御サブユニットはトライアック型調光信号検出サブユニットであり、前記第１の調光信号はトライアック型調光信号であり、前記第１の調光方式はトライアック型調光方式であることが好ましい。
【００１７】
また、前記第１の調光信号インタフェースサブユニットは０〜１０ボルト型調光信号インタフェースサブユニットであり、前記第１の調光信号検出サブユニットは０〜１０ボルト型調光信号検出サブユニットであり、前記第１の調光信号は０〜１０ボルト型調光信号であり、前記第１の調光方式は０〜１０ボルト型調光方式であることが好ましい。
【発明の効果】
【００１８】
本発明のスマート型調光省エネランプの電源供給装置及びその電源供給方法は、調光器の種類及び調光方式を自動的に判別し、省エネランプに電源を供給し、調光することができる。
【図面の簡単な説明】
【００１９】
【図１】本発明の第１実施形態によるスマート型調光省エネランプの電源供給装置を示すブロック図である。
【図２】本発明の第２実施形態によるスマート型調光省エネランプの電源供給装置を示すブロック図である。
【図３】本発明の第３実施形態によるスマート型調光省エネランプの電源供給装置を示すブロック図である。
【図４】本発明の第４実施形態によるスマート型調光省エネランプの電源供給装置を示すブロック図である。
【図５】本発明の第１実施形態によるスマート型調光省エネランプの電源供給方法を示す流れ図である。
【図６】本発明の第２実施形態によるスマート型調光省エネランプの電源供給方法を示す流れ図である。
【図７】本発明の第３実施形態によるスマート型調光省エネランプの電源供給方法を示す流れ図である。
【図８】本発明の第４実施形態によるスマート型調光省エネランプの電源供給方法を示す流れ図である。
【図９】本発明の第１実施形態によるスマート型調光省エネランプの電源供給装置をＬＥＤランプに応用するときの部分回路図である。
【図１０】本発明の第１実施形態によるスマート型調光省エネランプの電源供給装置をＬＥＤランプに応用するときの部分回路図である。
【図１１】本発明の第１実施形態によるスマート型調光省エネランプの電源供給装置を蛍光ランプに応用するときの部分回路図である。
【図１２】本発明の第１実施形態によるスマート型調光省エネランプの電源供給装置を蛍光ランプに応用するときの部分回路図である。
【図１３】本発明の第２実施形態によるスマート型調光省エネランプの電源供給装置をＬＥＤランプに応用するときの部分回路図である。
【図１４】本発明の第２実施形態によるスマート型調光省エネランプの電源供給装置をＬＥＤランプに応用するときの部分回路図である。
【図１５】本発明の第２実施形態によるスマート型調光省エネランプの電源供給装置を蛍光ランプに応用するときの部分回路図である。
【図１６】本発明の第２実施形態によるスマート型調光省エネランプの電源供給装置を蛍光ランプに応用するときの部分回路図である。
【図１７】本発明の第３実施形態によるスマート型調光省エネランプの電源供給装置をＬＥＤランプに応用するときの部分回路図である。
【図１８】本発明の第３実施形態によるスマート型調光省エネランプの電源供給装置をＬＥＤランプに応用するときの部分回路図である。
【図１９】本発明の第３実施形態によるスマート型調光省エネランプの電源供給装置を蛍光ランプに応用するときの部分回路図である。
【図２０】本発明の第３実施形態によるスマート型調光省エネランプの電源供給装置を蛍光ランプに応用するときの部分回路図である。
【図２１】本発明の第４実施形態によるスマート型調光省エネランプの電源供給装置をＬＥＤランプに応用するときの部分回路図である。
【図２２】本発明の第４実施形態によるスマート型調光省エネランプの電源供給装置をＬＥＤランプに応用するときの部分回路図である。
【図２３】本発明の第４実施形態によるスマート型調光省エネランプの電源供給装置を蛍光ランプに応用するときの部分回路図である。
【図２４】本発明の第４実施形態によるスマート型調光省エネランプの電源供給装置を蛍光ランプに応用するときの部分回路図である。
【発明を実施するための形態】
【００２０】
以下、本発明の実施形態について図に基づいて説明する。なお、これによって本発明が限定されるものではない。
（第１実施形態）
図１を参照する。図１は、本発明の第１実施形態によるスマート型調光省エネランプの電源供給装置を示すブロック図である。図１に示すように、本発明の第１実施形態によるスマート型調光省エネランプの電源供給装置１０は、入力端１０２、電源変換ユニット１０４、電源出力端１０６、調光信号インタフェースユニット１０８及び調光信号判別・電源変換制御ユニット１１０から構成される。
【００２１】
電源変換ユニット１０４は、入力端１０２と電気的に接続される。電源出力端１０６は、電源変換ユニット１０４と電気的に接続される。調光信号インタフェースユニット１０８は、入力端１０２と電気的に接続される。調光信号判別・電源変換制御ユニット１１０は、調光信号インタフェースユニット１０８及び電源変換ユニット１０４と電気的に接続される。電源出力端１０６は、省エネランプ（図示せず）と電気的に接続される。
【００２２】
調光信号インタフェースユニット１０８は、トライアック型調光信号インタフェースサブユニット１１２及び０〜１０ボルト型調光信号インタフェースサブユニット１１４を含む。
【００２３】
トライアック（ｔｒｉａｃ）型調光信号インタフェースサブユニット１１２は、入力端１０２及び調光信号判別・電源変換制御ユニット１１０とそれぞれ電気的に接続されている。０〜１０ボルト型調光信号インタフェースサブユニット１１４は、入力端１０２及び調光信号判別・電源変換制御ユニット１１０とそれぞれ電気的に接続されている。
【００２４】
調光信号判別・電源変換制御ユニット１１０は、電源変換制御サブユニット１１６、調光信号判別サブユニット１１８、トライアック型調光信号検出サブユニット１２０、０〜１０ボルト型調光信号検出サブユニット１２２及びスイッチング型調光信号制御サブユニット１２４を含む。
【００２５】
電源変換制御サブユニット１１６は、電源変換ユニット１０４と電気的に接続されている。調光信号判別サブユニット１１８は、電源変換制御サブユニット１１６と電気的に接続されている。トライアック型調光信号検出サブユニット１２０は、調光信号判別サブユニット１１８及びトライアック型調光信号インタフェースサブユニット１１２と電気的に接続されている。０〜１０ボルト型調光信号検出サブユニット１２２は、調光信号判別サブユニット１１８及び０〜１０ボルト型調光信号インタフェースサブユニット１１４と電気的に接続されている。スイッチング型調光信号制御サブユニット１２４は、調光信号判別サブユニット１１８と電気的に接続されている。
【００２６】
スマート型調光省エネランプの電源供給装置１０をトライアック調光器（図示せず）に応用する場合、電源（図示せず）と電気的に接続されたトライアック調光器に、入力端１０２を電気的に接続させる。
【００２７】
スマート型調光省エネランプの電源供給装置１０を０〜１０ボルト型調光器（図示せず）に応用する場合、電源と電気的に接続された０〜１０ボルト型調光器に、入力端１０２を電気的に接続させる。
【００２８】
ユーザがスイッチング方式により調光を行う場合（即ち、調光器を必要としない場合）、電源と電気的に接続された電源スイッチ（図示せず）に、入力端１０２を電気的に接続する。
【００２９】
トライアック型調光信号検出サブユニット１２０は、アナログデジタル変換器(Analog/Digital Converter)（図示せず）を含んでもよい。０〜１０ボルト型調光信号検出サブユニット１２２は、アナログデジタル変換器（図示せず）を含んでもよい。スイッチング型調光信号制御サブユニット１２４は、電源スイッチのオン・オフ回数を記憶するために用いるメモリユニット（図示せず）を含んでもよい。電源変換制御サブユニット１１６は、パルス幅変調出力パワー制御信号を出力するパルス幅変調器（ＰＷＭ：Pulse Width Modulation）を含んでもよい。調光信号判別サブユニット１１８は、マイクロコントロールユニット（ＭＣＵ：Micro Control Unit）（図示せず）又はデジタル回路(digital circuit)（図示せず）でもよい。
【００３０】
入力端１０２は、調光信号又は電源を受け取るために用いる。電源変換ユニット１０４は、省エネランプに適した電源に電源を変換するために用いる。電源変換ユニット１０４は、調光信号判別・電源変換制御ユニット１１０の電源変換制御サブユニット１１６から出力パワー制御信号を受け取り、省エネランプに適した電源の出力パワーを制御するために用いる。
【００３１】
調光信号インタフェースユニット１０８は、種々の調光信号を検出するために用いられる。例えば、トライアック型調光信号インタフェースサブユニット１１２は、トライアック調光器からの調光信号を受信し、０〜１０ボルト型調光信号インタフェースサブユニット１１４は、０〜１０ボルト型調光器からの調光信号を検出する。
【００３２】
調光信号判別・電源変換制御ユニット１１０は、調光信号インタフェースユニット１０８が受信した調光信号を検出し、入力端１０２と電気的に接続された調光器の種類を判別した後、省エネランプの調光方式を決定し、電源変換制御サブユニット１１６から電源変換ユニット１０４へ出力パワー制御信号を送る。
【００３３】
例えば、トライアック型調光信号検出サブユニット１２０は、トライアック調光器からの調光信号をトライアック型調光信号インタフェースサブユニット１１２が受信したか否かを検出するために用いる。これにより、調光信号判別サブユニット１１８は、入力端１０２と電気的に接続された調光器がトライアック調光器であるか否かを判定するために用いる。これにより、調光信号判別・電源変換制御ユニット１１０は、トライアック調光方式により省エネランプの調光を行うか否かを決定する。
【００３４】
例えば、０〜１０ボルト型調光信号検出サブユニット１２２は、０〜１０ボルト型調光器からの調光信号を０〜１０ボルト型調光信号インタフェースサブユニット１１４が受信したか否かを検出するために用いる。これにより、調光信号判別サブユニット１１８は、入力端１０２と電気的に接続された調光器が０〜１０ボルト型調光器であると判断する。調光信号判別・電源変換制御ユニット１１０は、０〜１０ボルト型調光方式により省エネランプの調光を行うことを決定する。
【００３５】
例えば、トライアック型調光信号検出サブユニット１２０は、トライアック調光器からの調光信号をトライアック型調光信号インタフェースサブユニット１１２が受信していないことを検出したり、０〜１０ボルト型調光信号検出サブユニット１２２は、０〜１０ボルト型調光器からの調光信号を０〜１０ボルト型調光信号インタフェースサブユニット１１４が受信していないことを検出したりした場合、調光信号判別・電源変換制御ユニット１１０は、スイッチング型調光方式により省エネランプの調光を行うことを決定する。
【００３６】
本発明の調光方式は、本実施形態のトライアック型、０〜１０ボルト型、スイッチング型の調光方式だけに限定されるわけではなく、例えば、正弦波調光方式などでもよい。トライアック型調光信号検出サブユニット１２０は、位相検出技術又は平均電圧検出技術を用いてもよい。トライアック型調光信号検出サブユニット１２０が平均電圧検出技術を使用する際、トライアック型調光信号検出サブユニット１２０は、トライアック型調光信号又は正弦波調光信号を検知するために用いる。
【００３７】
図９は、本発明の第１実施形態によるスマート型調光省エネランプの電源供給装置をＬＥＤランプに応用するときの部分回路図である。図１０は、本発明の第１実施形態によるスマート型調光省エネランプの電源供給装置をＬＥＤランプに応用するときの部分回路図である。図１１は、本発明の第１実施形態によるスマート型調光省エネランプの電源供給装置を蛍光ランプに応用するときの部分回路図である。図１２は、本発明の第１実施形態によるスマート型調光省エネランプの電源供給装置を蛍光ランプに応用するときの部分回路図である。
【００３８】
図１のスマート型調光省エネランプの電源供給装置１０は、トライアック型調光方式、０〜１０ボルト型調光方式、スイッチング型調光方式を組み合わせた調光方式であるが、本発明の態様はこれだけに限定されるわけではなく、トライアック型調光方式とスイッチング型調光方式とだけを組み合わせた調光方式（図２参照）でもよいし、０〜１０ボルト型調光方式とスイッチング型調光方式とだけを組み合わせた調光方式（図３参照）でもよいし、トライアック型調光方式と０〜１０ボルト型調光方式とだけを組み合わせた調光方式（図４参照）でもよい。
【００３９】
図２は、本発明の第２実施形態によるスマート型調光省エネランプの電源供給装置を示すブロック図である。図３は、本発明の第３実施形態によるスマート型調光省エネランプの電源供給装置を示すブロック図である。図４は、本発明の第４実施形態によるスマート型調光省エネランプの電源供給装置を示すブロック図である。図２〜図４に示す第２実施形態〜第４実施形態は、図１の第１実施形態による回路ブロック図及び動作原理と非常に類似するため、ここでは繰り返し述べない。
【００４０】
図１３は、本発明の第２実施形態によるスマート型調光省エネランプの電源供給装置をＬＥＤランプに応用するときの部分回路図である。図１４は、本発明の第２実施形態によるスマート型調光省エネランプの電源供給装置をＬＥＤランプに応用するときの部分回路図である。図１５は、本発明の第２実施形態によるスマート型調光省エネランプの電源供給装置を蛍光ランプに応用するときの部分回路図である。図１６は、本発明の第２実施形態によるスマート型調光省エネランプの電源供給装置を蛍光ランプに応用するときの部分回路図である。
【００４１】
図１７は、本発明の第３実施形態によるスマート型調光省エネランプの電源供給装置をＬＥＤランプに応用するときの部分回路図である。図１８は、本発明の第３実施形態によるスマート型調光省エネランプの電源供給装置をＬＥＤランプに応用するときの部分回路図である。図１９は、本発明の第３実施形態によるスマート型調光省エネランプの電源供給装置を蛍光ランプに応用するときの部分回路図である。図２０は、本発明の第３実施形態によるスマート型調光省エネランプの電源供給装置を蛍光ランプに応用するときの部分回路図である。
【００４２】
図２１は、本発明の第４実施形態によるスマート型調光省エネランプの電源供給装置をＬＥＤランプに応用するときの部分回路図である。図２２は、本発明の第４実施形態によるスマート型調光省エネランプの電源供給装置をＬＥＤランプに応用するときの部分回路図である。図２３は、本発明の第４実施形態によるスマート型調光省エネランプの電源供給装置を蛍光ランプに応用するときの部分回路図である。図２４は、本発明の第４実施形態によるスマート型調光省エネランプの電源供給装置を蛍光ランプに応用するときの部分回路図である。
【００４３】
図５を参照する。図５は、本発明の第１実施形態によるスマート型調光省エネランプの電源供給方法を示す流れ図である。図５に示すように、本発明の第１実施形態によるスマート型調光可能省エネランプ電源供給方法は、以下のステップＳ０２〜Ｓ１８を含む。
【００４４】
ステップＳ０２：トライアック型調光信号インタフェースサブユニットにより、調光信号を受信する。
【００４５】
ステップＳ０４：トライアック型調光信号検出サブユニットにより、トライアック型調光信号インタフェースサブユニットが受信した調光信号を検出する。
【００４６】
ステップＳ０６：調光信号判別サブユニットは、トライアック型調光信号検出サブユニットの検出により、トライアック型調光信号インタフェースサブユニットが受信した調光信号にトライアック型調光信号が含まれているか否かを判断する。イエスの場合、ステップＳ０８に進み、ノーの場合、ステップＳ１０に進む。
【００４７】
ステップＳ０８：電源変換制御サブユニットは、トライアック型調光方式により電源変換ユニットを制御し、省エネランプに電源を供給して調光を行う。
【００４８】
ステップＳ１０：０〜１０ボルト型調光信号インタフェースサブユニットにより、調光信号を受信する。
【００４９】
ステップＳ１２：０〜１０ボルト型調光信号検出サブユニットにより、０〜１０ボルト型調光信号インタフェースサブユニットが受信した調光信号を検出する。
【００５０】
ステップＳ１４：調光信号判別ユニットは、０〜１０ボルト型調光信号検出サブユニットの検出により、０〜１０ボルト型調光信号インタフェースサブユニットが受信した調光信号に０〜１０ボルト型調光信号が含まれているか否かを判断する。イエスの場合、ステップＳ１６に進み、ノーの場合、ステップＳ１８に進む。
【００５１】
ステップＳ１６：電源変換制御サブユニットは、０〜１０ボルト型調光方式により電源変換ユニットを制御し、省エネランプに電源を供給して調光を行う。
【００５２】
ステップＳ１８：電源変換制御サブユニットは、スイッチング型調光方式により電源変換ユニットを制御し、省エネランプに電源を供給して調光を行う。
【００５３】
図５に示すように、本発明の第１実施形態によるスマート型調光省エネランプの電源供給方法は、トライアック型調光方式、０〜１０ボルト型調光方式、スイッチング型調光方式を組み合わせた調光方式であるが、本発明の態様はこれだけに限定されるわけではなく、トライアック型調光方式とスイッチング型調光方式とだけを組み合わせた調光方式（図６参照）でもよいし、０〜１０ボルト型調光方式とスイッチング型調光方式とだけを組み合わせた調光方式（図７参照）でもよいし、トライアック型調光方式と０〜１０ボルト型調光方式とだけを組み合わせた調光方式（図８参照）でもよい。
【００５４】
図６は、本発明の第２実施形態によるスマート型調光省エネランプの電源供給方法を示す流れ図である。図７は、本発明の第３実施形態によるスマート型調光省エネランプの電源供給方法を示す流れ図である。図８は、本発明の第４実施形態によるスマート型調光省エネランプの電源供給方法を示す流れ図である。図６〜図８に示す第２実施形態〜第４実施形態は、図５の第１実施形態によるステップ及び原理と非常に類似するため、ここでは繰り返し説明しない。
【００５５】
上述したことから分かるように、本発明のスマート型調光省エネランプの電源供給装置及びその電源供給方法は、調光器の種類及び調光方式を自動的に判別した後、省エネランプに電源を供給して調光を行う。
【００５６】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００５７】
１０  スマート型調光省エネランプの電源供給装置
１０２  入力端
１０４  電源変換ユニット
１０６  電源出力端
１０８  調光信号インタフェースユニット
１１０  調光信号判別・電源変換制御ユニット
１１２  トライアック型調光信号インタフェースサブユニット
１１４  ０〜１０ボルト型調光信号インタフェースサブユニット
１１６  電源変換制御サブユニット
１１８  調光信号判別サブユニット
１２０  トライアック型調光信号検出サブユニット
１２２  ０〜１０ボルト型調光信号検出サブユニット
１２４  スイッチング型調光信号制御サブユニット
【図１】
2012142253.tif 000003
【図２】
2012142253.tif 000004
【図３】
2012142253.tif 000005
【図４】
2012142253.tif 000006
【図５】
2012142253.tif 000007
【図６】
2012142253.tif 000008
【図７】
2012142253.tif 000009
【図８】
2012142253.tif 000010
【図９】
2012142253.tif 000011
【図１０】
2012142253.tif 000012
【図１１】
2012142253.tif 000013
【図１２】
2012142253.tif 000014
【図１３】
2012142253.tif 000015
【図１４】
2012142253.tif 000016
【図１５】
2012142253.tif 000017
【図１６】
2012142253.tif 000018
【図１７】
2012142253.tif 000019
【図１８】
2012142253.tif 000020
【図１９】
2012142253.tif 000021
【図２０】
2012142253.tif 000022
【図２１】
2012142253.tif 000023
【図２２】
2012142253.tif 000024
【図２３】
2012142253.tif 000025
【図２４】
2012142253.tif 000026